【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
内視鏡で使用するための使い捨てセットであって、
前記セットは、前記内視鏡を通過させるための長さ方向輸送通路が設けられたディスペンサーを有し、
前記ディスペンサーは、
前記ディスペンサーの末端部でキャップが備え付けられたマルチルーメン型配管であって、該キャップは、前記内視鏡の光学ヘッドに脱着可能に接続可能である、前記マルチルーメン型配管と、
内視鏡処置の間に前記内視鏡を覆う保護スリーブと、
を更に備え、
前記ディスペンサーは、内部に潤滑剤を受け入れるための環状空間を備えており、前記ディスペンサーには、前記環状空間と流体連通し前記輸送通路の一部分と流体連通する径方向開口部が形成された分配リングが配備されており、前記径方向開口部は、前記輸送通路内の前記潤滑剤を前記径方向開口部を通過させて取り除きこれにより前記輸送通路の前記一部分の全周囲を被覆させるように構成されている
ことを特徴とする、使い捨てセット。
【請求項２】
前記ディスペンサーは、後側ハウジングと、前側ハウジングと、該前側ハウジングに対して長さ方向に移動可能である中間ブッシングと、を更に備え、
前記後側ハウジングと前記前側ハウジングとには、前記輸送通路を構成する同軸の内部が形成されており、前記環状空間は前記後側ハウジングと前記中間ブッシングとの間に設けられている、請求項１に記載の使い捨てセット。
【請求項３】
前記後側ハウジングは、前記環状空間を前記径方向開口部と流体連通した状態にすると共に前記輸送通路内の潤滑剤を前記径方向開口部を通過させて取り除くため、前記後側ハウジングに沿って長さ方向に移動可能であるプランジャー手段を備えている、請求項２に記載の使い捨てセット。
【請求項４】
前記輸送通路の前記一部分は、前記後側ハウジングの内部を含む、請求項３に記載の使い捨てセット。
【請求項５】
前記内部は、前記潤滑剤を吸収することができるスポンジ材料で裏張りされている、請求項４に記載の使い捨てセット。
【請求項６】
前記後側ハウジングは、保持リング及び密封リングを有するクロージャー部分を更に備える、請求項２に記載の使い捨てセット。
【請求項７】
前記前側ハウジングは、ブッシング部材と、スカート部材とを更に備え、前記保護スリーブの基端部は、それらの部材の間に保持されている、請求項２に記載の使い捨てセット。
【請求項８】
前記前側ハウジングは、内側に面した円錐表面と、該内側に面した円錐表面にピッタリと適合する外側に面した円錐表面を有するリングと、を更に備え、
前記保護スリーブの基端部は、前記内側に面した円錐表面と、前記外側に面した円錐表面との間に固定されている、請求項５に記載の使い捨てセット。
【請求項９】
前記保護スリーブの末端部は、前記キャップに固定されている、請求項６に記載の使い捨てセット。
【請求項１０】
前記保護スリーブの前記基端部は、束にされた状態で格納され、膨張可能であり、前記保護スリーブの末端部は、前記内視鏡の曲げ区分を覆っており、非膨張式である、請求項７に記載の使い捨てセット。
【請求項１１】
前記前側ハウジングは、前記中間ブッシングの偶発的な移動を防止する安全キャッチを更に備える、請求項２に記載の使い捨てセット。
【請求項１２】
前記キャップは、前記光学ヘッドの視覚化光学系のための窓を備え、前記セットには、整列部材が設けられている、請求項１に記載の使い捨てセット。
【請求項１３】
前記前側ハウジングは、該前側ハウジングから引っ張られ、かつ、前記内視鏡からの除去の間に該保護スリーブ及び前記マルチルーメン型配管を覆う、補助スリーブを内部に格納している、請求項２に記載の使い捨てセット。
【請求項１４】
前記補助スリーブの基端部は、前記前側ハウジングに接続され、該補助スリーブの末端部は、前記前側ハウジングに取り外し可能に装着可能であるシールドに連結されている、請求項１３に記載の使い捨てセット。
【請求項１５】
内視鏡処置のための内視鏡を準備するための方法であって、
（ａ）  使い捨てセットを提供する工程であって、該使い捨てセットは、
（ｉ）  前記内視鏡を通過させるための長さ方向輸送通路が設けられたディスペンサーと、
（ｉｉ）  前記ディスペンサーの末端部でキャップが備え付けられたマルチルーメン型配管であって、該キャップは、前記内視鏡の光学ヘッドに脱着可能に接続可能である、前記マルチルーメン型配管と、
（ｉｉｉ）  前記内視鏡処置の間に前記内視鏡を覆う保護スリーブと、
を備える、前記工程と、
（ｂ）  前記マルチルーメン型配管の基端部を前記内視鏡の案内チャンネル内に挿入する工程と、
（ｃ）  前記内視鏡の末端区分を前記ディスペンサーの入口ポートに向って移動させる工程と、
（ｄ）  前記末端区分を前記入口ポートを介してディスペンサー内に挿入する工程と、
（ｅ）  前記キャップが前記内視鏡の前記光学ヘッドに取り外し可能に取り付けられるまで、前記末端区分を前記輸送通路に沿って前進させる工程と、
、
（ｆ）  前記ディスペンサーに、前記輸送通路の一部分と流体連通する径方向開口部が形成された分配リングを配備する工程と、
（ｇ）  前記輸送通路に潤滑剤を分配し、前記潤滑剤を前記径方向開口部を通して取り除きこれにより前記輸送通路の前記一部分の全周囲を被覆させる工程と、
を備える、方法。  
【請求項１６】
前記キャップ内に設けられた窓を前記光学ヘッドの視覚化光学系と整列させる工程を備える、請求項１５に記載の準備方法。
【請求項１７】
内視鏡のための装置であって、
内視鏡処置の間に身体通路内に挿入するための内視鏡と、
前記内視鏡で使用するための使い捨てセットであって、前記セットは、前記内視鏡を通過させるための長さ方向輸送通路が設けられたディスペンサーと、前記ディスペンサーの末端部でキャップが備え付けられた使い捨てマルチルーメン型配管であって、該キャップは、前記内視鏡の光学ヘッドに脱着可能に接続可能である、前記使い捨てマルチルーメン型配管と、前記内視鏡処置の間に前記内視鏡を覆う保護スリーブと、を備え、前記ディスペンサーは、内部に潤滑剤を受け入れるための環状空間を備えており、前記ディスペンサーには、前記環状空間と流体連通し前記輸送通路の一部分と流体連通する径方向開口部が形成された分配リングが配備されており、前記径方向開口部は、前記潤滑剤を前記径方向開口部を通過させて取り除きこれにより前記輸送通路の前記一部分の全周囲を被覆させるように構成されている、前記使い捨てセットと、
を備える装置。
【請求項１８】
前記ディスペンサーは、後側ハウジングと、前側ハウジングと、該前側ハウジングに対して長さ方向に移動可能である中間ブッシングと、を備え、
前記後側ハウジングと前記前側ハウジングとには、前記輸送通路を構成する同軸の内部が形成されており、前記後側ハウジングと前記中間ブッシングとの間に前記環状空間が設けられている、請求項１７に記載の内視鏡のための装置。  
【手続補正２】
【補正対象書類名】明細書
【補正対象項目名】００４７
【補正方法】変更
【補正の内容】
【００４７】
本実施例では、後部ポート１２２が備え付けられた単一ハウジング１２０が設けられていることが示されている。当該セットの他の構成部品は、前述した実施例の構成部品と機能的に類似している。図２０では、膨張可能な折り畳み部分１２４と、キャップ１２８に取り付けられた非膨張部分１２６とを有する保護スリーブが示されている。ハウジングの前側部分内に格納された補助スリーブ１３０と、該前側部分に取り外し可能に取り付けられたシールド１３２とが更に示されている。脱着可能なカバー１３４は、ハウジングの前側部分を閉鎖し、キャップを内部に受け入れる。図面を簡単にするため、マルチルーメン型配管は図示されていない。後部ポートは、チェックバルブのアパーチャ１４０を介して、環状空間１４２を介して、分配リング１３８の径方向開口部１３６と流体連通している。潤滑剤が充填された注入器（図示せず）は、後部ポート内に挿入可能であり、潤滑剤を注入器から取り除くとき、潤滑剤は、環状空間内に収容され、分配リングの開口部を通して輸送通路内に分配される。